(57)【特許請求の範囲】
【請求項１】
開口部の下側に敷設された下部レール上に、折り畳み式網戸の戸先側に位置する下部スライドレールを摺動自在に支持させた支持構造であり、下部スライドレールは、下部レールの幅方向両側のそれぞれに位置する見付け片と、両見付け片をつなぐ見込み片から断面略Ｈ字状に形成され、両見付け片の下部には、それぞれ下部レールを幅方向両側から挟み込む形状の脚部が一体的に形成され、下部レールは幅方向両側に下部スライドレールの脚部が載る受け部と、受け部の上に位置し、受け部と共に凹溝を構成する保持部を有し、下部スライドレールの脚部は下部レールの前記凹溝内の前記保持部の下に入り込み、下部スライドレールの脚部の底面と下部レールの受け部の上面のいずれか一方に形成された凸部により、下部スライドレールの脚部の底面において前記受け部の上面に接触し、下部スライドレールの見込み片の底面と下部レールの上面とは非接触状態に保持されている折り畳み式網戸の支持構造。
【請求項２】
下部レールの幅方向の片側に、床面を塞ぐ塞ぎ板が一体化している請求項１記載の折り畳み式網戸の支持構造。
【発明の詳細な説明】
【０００１】
【発明の属する技術分野】
この発明は開口部の下側に敷設された下部レール上に、折り畳み式網戸の下部スライドレールを摺動自在に支持させた折り畳み式網戸の支持構造に関するものである。
【０００２】
【従来の技術及び発明が解決しようとする課題】
折り畳み式網戸は戸先框の上端と下端に接続される上部スライドレールと下部スライドレールが開口部の上側と下側に、開口部に平行に敷設された上部レールと下部レールに沿って移動することにより開閉するため、戸先框が上部レールに直接、または特開平8-121054号のようにワイヤ等を通じ、間接的に上吊り式に支持される場合以外、戸先框は下部スライドレールが下部レール上を摺動することにより開閉することになる。
【０００３】
この場合、従来は図６に示すように下部スライドレールの走行時の安定性を確保するために、下部スライドレールの底面の幅方向二箇所に突起を形成し、この突起において下部レールの上面に接触させているが、下部レール上面の突起に対応した位置に、摩擦により突起の走行痕（傷）が下部スライドレールの走行範囲の全長に亘って発生するため、下部レール上面が露出する網戸の開放時に下部レールの見栄えの低下を招くことになる。このことは下部レールを着色した場合に顕著になる。
【０００４】
また下部レールをサッシ枠の室内側に配置する場合に、サッシ枠内に収納される障子の形態によりサッシ枠の下枠に下部レールを突き合わせて敷設することができない場合には、下枠と下部レールとの間の隙間により床面が露出するため、開口部の意匠性が低下する。
【０００５】
この発明は上記背景より、下部スライドレールが下部レール上を摺動する折り畳み式網戸において、走行痕の露出を回避し、また床面の露出を回避する下部スライドレールの支持構造を提案するものである。
【０００６】
【課題を解決するための手段】
本発明は、開口部の下側に敷設された下部レール上に、折り畳み式網戸の戸先側に位置する下部スライドレールを摺動自在に支持させた支持構造であり、下部スライドレールは、下部レールの幅方向両側のそれぞれに位置する見付け片と、両見付け片をつなぐ見込み片から断面略Ｈ字状に形成され、両見付け片の下部には、それぞれ下部レールを幅方向両側から挟み込む形状の脚部が一体的に形成され、下部レールは幅方向両側に下部スライドレールの脚部が載る受け部と、受け部の上に位置し、受け部と共に凹溝を構成する保持部を有し、下部スライドレールの脚部は下部レールの前記凹溝内の前記保持部の下に入り込み、下部スライドレールの脚部の底面と下部レールの受け部の上面のいずれか一方に形成された凸部により、下部スライドレールの脚部の底面において前記受け部の上面に接触し、下部スライドレールの見込み片の底面と下部レールの上面とは非接触状態に保持されている折り畳み式網戸の支持構造であり、網戸の開放状態での下部スライドレールと下部レールの摺接部分の露出を回避し、下部レールの見栄えの低下を防止する。
【０００７】
下部スライドレールの幅方向両側の脚部の底面と下部レールの受け部の上面とが接触することで、下部スライドレールが下部レール上を摺動することによる走行痕は受け部の上面、もしくは脚部の底面のいずれかに発生し、下部レール本体の上面への走行痕の発生は回避される。
【０００８】
受け部に発生する場合でも、下部スライドレールの脚部が下部レールの凹溝内の保持部より奥側に入り込むことで、上方から見る限り、走行痕は保持部によって隠蔽され、露出しない。脚部に発生する場合は下部レール上を移動する側であることと、底面であることにより全く露出することがないため、いずれの場合も下部レールの見栄えを低下させることはなく、下部レールを着色した場合にも外観上は網戸の使用による変化を与えることがない。
【０００９】
下部スライドレールの脚部は下部レールを幅方向両側から挟み込んだ状態でその底面において下部レールの受け部の上面と接触することで、下部レールの長さ方向に直交する断面上は二箇所で接触する。
【００１０】
このため、例えば下部スライドレールの底面において下部レールの上面に面で接触する場合のようにいずれかの面の不陸による下部スライドレールの走行時の不安定性が問題になることはなく、下部スライドレールの安定性は確保されるが、特に本発明では、下部スライドレールの脚部の底面と、下部レールの受け部の上面のいずれか一方に凸部を形成し、断面上、完全に２点で接触させているため、下部スライドレールの走行時の安定性がより向上する。
【００１１】
下部レールをサッシ枠の室内側に配置する場合で、サッシ枠内に収納される障子と網戸の走行位置の関係から、下部レールの本体を下枠に突き合わせて敷設することができない場合には、請求項２に記載のように下部レールの幅方向の片側に、床面を塞ぐ塞ぎ板を一体化させることにより下枠と下部レールとの間の隙間を塞ぎ、開口部の意匠性の低下を回避する。
【００１２】
塞ぎ板はサッシ枠の下枠に突き当たることで、下部レールの敷設時に下枠に対して下部レールを位置決めする役目も持つため、請求項２では下部レール敷設時の位置決め作業がし易く、下部レールを正確に敷設できる利点がある。
【００１３】
【発明の実施の形態】
この発明は図１，図２に示すようにサッシ枠11が収納される開口部の下側に敷設された下部レール９上に、折り畳み式の網戸１の戸先側に位置する下部スライドレール５を摺動自在に支持させる場合に、下部スライドレール５と下部レール９をその幅方向両側の二箇所で接触させたものである。
【００１４】
網戸１の開閉を案内する下部レール９と上部レール10は図４，図５に示すようにそれぞれサッシ枠11の下枠12と上枠13に沿い、開口部の全幅に亘って敷設される。図面ではサッシ枠11内に、開放時に室外側へ張り出す折れ戸15を収納していることに伴い、下部レール９と上部レール10をサッシ枠11の室内側に敷設した場合を示しているが、室外側に敷設する場合もある。
【００１５】
サッシ枠11の室内側に敷設する場合、下部レール９はサッシ枠11の縦枠14，14間、もしくは開口部を構成する柱16，16間等に亘り、床面17や窓台等に固定される。上部レール10は天井面18やまぐさ等に固定される。
【００１６】
網戸１は図５に示すようにサッシ枠11の縦枠14、もしくは柱16等に固定される戸尻框２と、下部レール９上を移動する戸先框３と、両框２，３間に格納され、展開と折り畳みが自在なネット４から構成される。
【００１７】
ネット４は図５に示すように網戸１の開放状態で、戸尻框２と戸先框３の互いに重なり合う見付け片2a，3a間で折り畳まれた状態にあり、戸先框３の閉鎖側への移動に伴って展開する。図面では同一面内に２組の網戸１，１を対向させて配置し、閉鎖時に双方の戸先框３，３を突き合わせるようにしているが、いずれか一方の縦枠14や柱16等にのみ戸尻框２を固定し、閉鎖時に対向する縦枠14や柱16等に戸先框３を突き合わせる場合もある。
【００１８】
図４に示すように下部スライドレール５は戸先框３の下端に装着される下部キャップ６に取り付けられ、上部スライドレール７は戸先框３の上端に装着される上部キャップ８に取り付けられる。上部スライドレール７は上部レール10に幅方向両側から挟み込まれる形で上部レール10内に差し込まれ、幅方向の移動に対して拘束される。
【００１９】
下部スライドレール５は下部レール９を幅方向両側から挟み込む脚部5a，5aを持ち、下部レール９は幅方向両側に下部スライドレール５の脚部5a，5aが載る受け部9a，9aと、各受け部9aの上に位置し、受け部9aと共に凹溝を構成する保持部9cを持ち、図１−(b) に示すように下部スライドレール５の各脚部5aは下部レール９の凹溝内の保持部9cより奥側に入り込み、底面において受け部9aの上面に接触する。脚部5aの底面全体は保持部9cの縁を通る鉛直線より凹溝の奥側に位置し、下部レール９を真上から見たとき、受け部9aの脚部5aとの接触面は保持部9cによって隠れる。
【００２０】
下部スライドレール５の脚部5aは受け部9aと保持部9cとの間の凹溝内に差し込まれ、保持部9cによって浮き上がりに対して拘束される。凹溝に脚部5aが差し込まれた状態では脚部5aの上面と保持部9cの下面との間には下部スライドレール５の走行を阻害しない程度にクリアランスが確保される。
【００２１】
下部スライドレール５は脚部5aが形成される見付け片51，51と両見付け片51，51をつなぐ見込み片52からＨ形に近い断面形状をし、下部レール９は脚部5a，5aに対応した断面形状をし、下部スライドレール５の見込み片52の底面と下部レール９の上面とは非接触状態に保たれる。下部スライドレール５と下部レール９はサッシ枠11と同様にアルミニウム合金の押出し成型により、または合成樹脂の押出し成型等により製作される。
【００２２】
図１は下部スライドレール５の脚部5a，5aの底面を下部レール９の受け部9a，9aの上面に単純に接触させた場合を示す。この場合、脚部5aの底面と受け部9aの上面は面で接触することになるが、脚部5aの先端を角形や曲面に形成する等により断面上、点接触させることもできる。
【００２３】
図２は下部レール９の受け部9aの上面に下部レール９の長さ方向に連続する凸部9bを形成し、下部スライドレール５の脚部5aの底面を受け部9aに断面上、点接触させ、下部スライドレール５の走行時の安定性をより高めた場合を示す。図２とは逆に、受け部9aの上面を平坦面にしたまま、上記のように脚部5aの先端を曲面等に形成し、凸部を脚部5aの底面に形成する場合もある。
【００２４】
図１，図２はまた、下枠12の室内側の端部と下部レール９の本体との間に距離を確保する必要がある場合に、下部レール９の幅方向片側の、下枠12側の受け部9aに連続して床面17を塞ぐ塞ぎ板9dを一体化させ、下枠12と下部レール９との間で床面17を隠蔽した場合を示している。
【００２５】
塞ぎ板9dを形成した場合、下部レール９は開口部に先行して設置されている下枠12の端部に塞ぎ板9dの下枠12側の端部を突き当てることで、下枠12に対して位置決めされた状態で床面17に固定される。
【００２６】
【発明の効果】
折り畳み式網戸の戸先側に位置する下部スライドレールに、開口部の下側に敷設された下部レールを幅方向両側から挟み込む脚部を形成する一方、下部レールの幅方向両側に下部スライドレールの脚部が載る受け部と、受け部の上に位置し、受け部と共に凹溝を構成する保持部を形成し、下部スライドレールの脚部を下部レールの凹溝内の保持部より奥側に入り込ませ、底面において受け部の上面に接触させるため、網戸の開放状態での下部スライドレールと下部レールの摺接部分の露出が完全に回避され、下部レールの見栄えの低下を防止でき、下部レールを着色した場合にも外観上、変化を与えずに済む。
【００２７】
また、本発明では、下部スライドレールの脚部の底面と、下部レールの受け部の上面のいずれか一方に凸部を形成し、断面上、完全に２点で接触させるため、下部スライドレールの走行時の安定性が向上する。
【００２８】
請求項２では下部レールの幅方向の片側に、床面を塞ぐ塞ぎ板を一体化させることで下枠と下部レールとの間の隙間を塞ぐため、開口部の意匠性の低下を回避できる。
【００２９】
また塞ぎ板がサッシ枠の下枠に突き当たることで、下部レールの敷設時に下枠に対して下部レールを位置決めできるため、下部レールの敷設作業がし易く、下部レールを正確に敷設できる。
【図面の簡単な説明】
【図１】  (a) はスライドレールと下部レールの関係を示した縦断面図、(b) は(a) の一部拡大図である。
【図２】スライドレールと下部レールを断面上、２点で接触させた場合を示した縦断面図である。
【図３】サッシ枠の下枠と下部レールの関係を示した縦断面図である。
【図４】サッシ枠と網戸の関係を示した縦断面図である。
【図５】図４の横断面図である。
【図６】従来のスライドレールと下部レールの関係を示した縦断面図である。
【符号の説明】
１……網戸、２……戸尻框、2a……見付け片、３……戸先框、3a……見付け片、４……ネット、５……下部スライドレール、5a……脚部、51……見付け片、52……見込み片、６……下部キャップ、７……上部スライドレール、８……上部キャップ、９……下部レール、9a……受け部、9b……凸部、9c……保持部、9d……塞ぎ板、10……上部レール、11……サッシ枠、12……下枠、13……上枠、14……縦枠、15……折れ戸、16……柱、17……床面、18……天井面。
【図１】
0004004294.tif 000002
【図２】
0004004294.tif 000003
【図３】
0004004294.tif 000004
【図４】
0004004294.tif 000005
【図５】
0004004294.tif 000006
【図６】
0004004294.tif 000007